(57)【要約】【課題】  固着用金具を使用することなく蓋体を容器本体の開口部に取り付けられて安全性や作業性を向上できるとともに、金属探知機を用いた金属製異物の発見を可能とし、しかも簡単かつ安価な構成で不慮に蓋体が外れるのを防止することができる収納容器を提供する。【解決手段】  開口部２１を有する容器本体２と、この容器本体２の開口部２１と略同一形状の蓋体３とを有する収納容器１であって、容器本体２を構成する側壁板２２のうち、少なくとも対向する２つの側壁板２２の内壁面開口端部に蓋体３の端部を嵌め込み可能な嵌込溝２５が形成され、かつこの嵌込溝２５は開口側よりも収容側がより深く形成されており、嵌込溝２５に嵌め込まれる蓋体３は可撓性を有するとともに、その端部は嵌込溝２５の形状に合わせて外面側よりも内面側をより外方に延出させた形状に形成されている。【選択図】  図１
0003140810.tif 000002
【実用新案登録請求の範囲】
【請求項１】
開口部を有する容器本体と、この容器本体の開口部と略同一形状に形成された蓋体とを有する収納容器であって、
前記容器本体を構成する側壁板のうち、少なくとも対向する２つの側壁板の内壁面開口端部に前記蓋体の端部を嵌め込み可能な嵌込溝が形成されており、かつこの嵌込溝は開口側よりも収容側がより深く形成されており、
前記嵌込溝に嵌め込まれる前記蓋体は可撓性を有するとともに、その端部は前記嵌込溝の形状に合わせて外面側よりも内面側をより外方に延出させた形状に形成されていることを特徴とする収納容器。
【請求項２】
請求項１において、前記蓋体を前記容器本体に嵌め込んだ閉蓋状態において前記側壁板の上端部と前記蓋体の内面との間に前記蓋体を取り外すための空隙を形成する開放用凹部が、前記側壁板の上端部に形成されていることを特徴とする収納容器。
【請求項３】
請求項１または請求項２において、前記嵌込溝は、前記側壁板の上端面から所定長さだけ間隔を隔てて形成されていることを特徴とする収納容器。
【請求項４】
請求項１から請求項３のいずれかにおいて、前記嵌込溝には、開口側から収容側に向けて傾斜された溝側テーパ面が形成されており、前記嵌込溝に嵌め込まれる前記蓋体の端部には、前記溝側テーパ面と略同一の傾斜角度の蓋側テーパ面が形成されていることを特徴とする収納容器。
【考案の詳細な説明】
【技術分野】
【０００１】
本考案は、木箱等の収納容器に関し、特に、釘等の固着用金具を使用することなく蓋体を容器本体の開口部に取り付け可能な収納容器に関するものである。
【背景技術】
【０００２】
従来、容器本体の開口部に、上蓋や底蓋等の蓋体を取り付ける場合、釘やホチキス針等の固着用金具を打ち込んで固着する場合が多い。例えば、特開平１０−２４９８０号公報には、平行に対向する一対の側壁板と、もう一対の側壁板と、底板とにより構成された箱型容器と、この容器の矩形状開口部に被覆された被覆シートと、この被覆シートを介して一対の側壁板上に互いに平行に対向するように取り付け固定された止め板とを備えた簡易蓋材付き箱形容器が開示されている（特許文献１）。
【０００３】
また、固着用金具を使用しない取り付け方法として、例えば、実用新案登録第３１２０６９７号公報には、平面視長方形状の枠の下面より僅か上の内側３面に連続する横溝を刻設し、この対向する横溝内をスライドさせて開閉可能と成した底板を嵌装し、底板を装着したことによって箱状と成すと共に、この箱の枠の上端面は内側を高く外側を低くした段状を構成し、この段の立ち上がる縦面と密接状に接触し、且つ外側の低い面に当着するように嵌合する木製の蓋を設けた桜ん坊包装箱の構造が開示されている（特許文献２）。
【０００４】
【特許文献１】特開平１０−２４９８０号公報
【特許文献２】実用新案登録第３１２０６９７号公報
【考案の開示】
【考案が解決しようとする課題】
【０００５】
しかしながら、特許文献１に記載された発明を含め、釘やホチキス針等の固着用金具を用いた従来の方法では、打ち込み作業中に固着用金具が容器本体内に混入してしまうおそれがある。このため、乾麺や果物等の食品を収容した後に打ち込む場合には、細心の注意を払って打ち込み作業を行わなければならず、非常に煩わしかった。また、出荷前に金属探知機を使って金属片等の異物の有無を検査するのが確実であるが、従来の収納容器の場合、固着用金具を検知してしまうため、不慮に混入してしまった金属製の異物を判別することができないという問題もある。
【０００６】
また、特許文献２に記載された発明を含め、蓋体をスライドさせて容器本体に取り付ける従来の構造では、軽い力が加わるだけで簡単に蓋体が開くようになっている。このため、運搬中などに蓋体がスライドし、内容物が飛び出てしまうおそれがある。また、このような蓋体のスライドを防止するため、別途、粘着テープ等を貼付する場合もあるが、手間やコストが余計にかかってしまうという問題がある。
【０００７】
本考案は、このような問題点を解決するためになされたものであって、固着用金具を使用することなく蓋体を容器本体の開口部に取り付けられて安全性や作業性を向上できるとともに、金属探知機を用いた金属製異物の発見を可能とし、しかも簡単かつ安価な構成で不慮に蓋体が外れるのを防止することができる収納容器を提供することを目的としている。
【課題を解決するための手段】
【０００８】
本考案に係る収納容器の特徴は、開口部を有する容器本体と、この容器本体の開口部と略同一形状に形成された蓋体とを有する収納容器であって、前記容器本体を構成する側壁板のうち、少なくとも対向する２つの側壁板の内壁面開口端部に前記蓋体の端部を嵌め込み可能な嵌込溝が形成されており、かつこの嵌込溝は開口側よりも収容側がより深く形成されており、前記嵌込溝に嵌め込まれる前記蓋体は可撓性を有するとともに、その端部は前記嵌込溝の形状に合わせて外面側よりも内面側をより外方に延出させた形状に形成されている点にある。
【０００９】
また、本考案において、前記蓋体を前記容器本体に嵌め込んだ閉蓋状態において前記側壁板の上端部と前記蓋体の内面との間に前記蓋体を取り外すための空隙を形成する開放用凹部が、前記側壁板の上端部に形成されていることが好ましい。
【００１０】
さらに、本考案において、前記嵌込溝は、前記側壁板の上端面から所定長さだけ間隔を隔てて形成されていることが好ましい。
【００１１】
また、本考案において、前記嵌込溝には、開口側から収容側に向けて傾斜された溝側テーパ面が形成されており、前記嵌込溝に嵌め込まれる前記蓋体の端部には、前記溝側テーパ面と略同一の傾斜角度の蓋側テーパ面が形成されていることが好ましい。
【考案の効果】
【００１２】
本考案によれば、固着用金具を使用することなく蓋体を容器本体の開口部に取り付けられて安全性や作業性を向上できるとともに、金属探知機を用いた金属製異物の発見を可能とし、簡単かつ安価な構成で不慮に蓋体が外れるのを防止することができる。
【考案を実施するための最良の形態】
【００１３】
以下、本考案に係る収納容器１の実施形態について図面を用いて説明する。図１は、本実施形態の収納容器１を示す全体斜視図である。
【００１４】
本実施形態の収納容器１は、図１に示すように、複数の板材からなる木箱に適用したものであり、主として、所定の内容物を収容する容器本体２と、この容器本体２の開口部２１を被覆する蓋体３とを有している。なお、本実施形態の収納容器１は、木製に限られるものではなく、所定の可撓性を有する材質であれば、発泡スチロール等のプラスチック製やアルミニウム製、その他の材質であってもよい。
【００１５】
以下、各構成部についてより詳細に説明する。
【００１６】
容器本体２は、所定の内容物を収容するものであり、図１に示すように、互いに対向する２対の側壁板２２と、これら側壁板２２の底面を被覆する底板２３とから平面視略矩形状に構成されている。容器本体２の上面は、略長方形状の開口部２１として開放されている。なお、本実施形態において、各側壁板２２および底板２３の接合部には、熱硬化性の接着剤が塗布され、高周波を付与することで互いに接着されている。
【００１７】
蓋体３は、容器本体２の開口部２１を閉塞するものであり、当該開口部２１と略同一形状の可撓性材料によって形成されている。なお、本実施形態において、蓋体３とは、容器本体２の上面を塞ぐいわゆる上蓋や、容器本体２の底面を塞ぐいわゆる底蓋に限定されるものではなく、容器本体２の開口部２１を閉塞する全てのものを含む。
【００１８】
以上において、本実施形態では、図１から図３に示すように、各側壁板２２の上端部に凸状段差部２４が設けられている。そして、これら凸状段差部２４のうち対向する１対の内壁面に、嵌込溝２５，２５がそれぞれ形成されている。これら嵌込溝２５，２５は、蓋体３を両側から保持する役割を果たすものであり、蓋体３の端部を嵌め込み可能な形状に刻設されている。なお、本実施形態では、嵌込溝２５，２５を凸状段差部２４上に形成しているが、この構成に限られるものではなく、側壁板２２の開口部２１に近傍の内壁面開口端部に設けられていればよい。また、本実施形態では、短辺を構成する側壁板２２，２２にのみ嵌込溝２５を形成しているが、この構成に限られるものではなく、長辺を構成する側壁板２２，２２にのみ嵌込溝２５を形成してもよく、全ての側壁板２２に嵌込溝２５を形成するようにしてもよい。
【００１９】
また、本実施形態において、各嵌込溝２５は、図１および図３に示すように、容器本体２の開口側から収容側に向けて傾斜された溝側テーパ面２６を有している。一方、嵌込溝２５に嵌め込まれる蓋体３の端部には、溝側テーパ面２６と略同一の傾斜角度の蓋側テーパ面３１が形成されている。ただし、これら嵌込溝２５および蓋体３の端部の形状は、後述するように、蓋体３の着脱容易性や脱落防止機能の向上を企図するものである。したがって、上記の構成に限られるものではなく、少なくとも、嵌込溝２５は開口側よりも収容側がより深く形成されていればよい。また、蓋体３の端部は、嵌込溝２５の形状に合わせて外面側よりも内面側をより外方に延出させた形状に形成されていればよい。
【００２０】
また、本実施形態では、図１から図３に示すように、嵌込溝２５を有する側壁板２２の上端部に、蓋体３を取り外して開放するための開放用凹部２７が形成されている。この開放用凹部２７は、図３に示すように、蓋体３を容器本体２に嵌め込んだ閉蓋状態において、側壁板２２の上端部と蓋体３の内面との間に、蓋体３を撓ませて取り外すための取り外し具を差し入れられる空隙を形成するようになっている。
【００２１】
本実施形態において、前記空隙は、所定の取り外し具を差し込める程度の横幅および高さに形成される。また、取り外し具としては、専用器具を必要とするものではなく、例えば、一般家庭にあるようなスプーンの柄の部分や、マイナスドライバー等を利用可能である。また、開放用凹部２７の形成位置は、蓋体３をてこの原理で撓ませて取り外せればどこに形成してもよいが、嵌込溝２５が形成されている側壁板２２の中央上端部がより好ましい。嵌め込み部分近傍にてこの原理を付与する方が効果的だからである。
【００２２】
なお、本実施形態において、蓋体３は、各嵌込溝２５に嵌め込まれたとき、脱落しない寸法に形成されている。具体的には、図２に示すように、蓋体３の中心点から嵌込溝２５に嵌め込まれる端部の最外縁部に下ろした垂線の長さＬ１が、開口部２１の中心点から凸状段差部２４の最内縁部に下ろした垂線の長さＬ２よりも長く形成されている。これにより、各嵌込溝２５に嵌め込まれた蓋体３は、搬送時などに不慮に加わる力によって容易に外れないようになっている。
【００２３】
また、本実施形態では、収納容器１の密閉性を高めるため、図２に示すように、蓋体３の中心点から嵌込溝２５に嵌め込まれない端部に下ろした垂線の長さＬ３と、開口部２１の中心点から嵌込溝２５のない凸状段差部２４の内壁面に下ろした垂線の長さＬ４とが略同一長さに形成されている。
【００２４】
つぎに、本実施形態の収納容器１による作用について図面を用いて説明する。
【００２５】
まず、本実施形態の収納容器１において、蓋体３を容器本体２の開口部２１に取り付ける場合、容器本体２内に所定の内容物を収容する。そして、図４（ａ）に示すように、蓋側テーパ面３１を有する蓋体３の一端部を嵌込溝２５の一方に嵌め込んで当接させる。このとき、本実施形態では、嵌込溝２５を凸状段差部２４に設けているため、側壁板２２の上面が蓋体３を案内する役割を果たし、蓋体３を嵌込溝２５へ位置合わせしやすい。
【００２６】
つぎに、図４（ｂ）に示すように、可撓性の蓋体３を撓ませながら、嵌込溝２５の他方に蓋側テーパ面３１を有する蓋体３の他端部を嵌め込む。このとき、嵌込溝２５の溝側テーパ面２６が、蓋体３の蓋側テーパ面３１を案内しながらわずかに摺動させるため、嵌め入れやすい。なお、嵌め込み方法は、この方法に限られるものではなく、蓋体３の上面を下方に押し付けることにより、蓋体３を撓ませて嵌め込んでもよい。
【００２７】
そして、図４（ｃ）に示すように、蓋体３を嵌込溝２５へ嵌め込んだ後は、対向配置された嵌込溝２５が蓋体３の両端部を狭持し、その脱落を防止する。このため、うどん等のように特別に重いものでなければ、底蓋に利用することも可能である。
【００２８】
また、本実施形態において、容器本体２と蓋体３との間では、蓋側テーパ面３１が溝側テーパ面２６にほぼ密接し、蓋体３の他の端部は凸状段差部２４にほぼ密接する。このため、内容物が飛び出るのを防止するとともに、ゴミ等が入り込んでしまうのを防止する。
【００２９】
一方、本実施形態において、蓋体３を容器本体２の開口部２１から取り外す場合、開放用凹部２７に、スプーンの柄の部分やマイナスドライバー等の取り外し具を差し込む。そして、取り外し具の基端部を開放用凹部２７を支点にして、てこの原理で押し下げると、その先端部が蓋体３の下面に上方向の力を付与する。これによって、蓋体３が適度に撓むとともに、蓋側テーパ面３１が溝側テーパ面２６に沿って摺動し、比較的軽い力で蓋体３を取り外せるようになっている。
【００３０】
以上のような本実施形態の収納容器１によれば、
１．釘やホチキス針等の固着用金具を使用することなく蓋体３を容器本体２の開口部２１に取り付けられ、安全性や作業性を向上できる。
２．容器本体２にも固着用金具を使用しなければ、金属探知機を用いて金属製の異物の混入を容易に発見することができる。
３．簡単かつ安価な構成で不慮に蓋体３が外れることがなく、内容物が飛び出したりゴミ等が混入するのを防止することができる。
４．一般家庭にあるもので簡単に蓋体３を取り外すことができる等の効果を奏する。
【００３１】
また、本考案に係る収納容器１は、上述した実施形態に限定されるものではなく、適宜変更することができる。なお、後述する変形例のうち、上述した本実施形態の構成と同一若しくは同等の構成については同一の符号を付し、再度の説明を省略する。
【００３２】
まず、上述した実施形態では、開口部２１および蓋体３を長方形状に形成しているため、互いに対向する１対の側壁板２２に嵌込溝２５を設けているが、これに限られるものではない。例えば、開口部２１および蓋体３の形状は、五角形や六角形等の多角形状にしてもよく、各側壁板２２が円弧状であってもよい。ただし、いずれの場合にも、少なくとも対向する２つの側壁板２２に嵌込溝２５を形成すればよい。
【００３３】
なお、本実施形態において、「対向する」とは、平行に向かい合う位置状態のみならず、蓋体３を保持しうる必要最低限の嵌込溝２５の配置を考慮し、当該配置関係にある側壁板２２の位置状態を含むものとする。
【００３４】
例えば、図５に示すような五角形の場合、側壁板２２が平行に向かい合う関係にないが、仮に、辺Ｆ１に嵌込溝２５を設けるとすれば、少なくとも辺Ｆ３あるいは辺Ｆ４に嵌込溝２５を形成すればよい。また、図６に示すような六角形の場合、辺Ｓ１に嵌込溝２５を設けるとすれば、平行な対向関係にある辺Ｓ４に限らず、辺Ｓ３または辺Ｓ５に嵌込溝２５を形成してもよいし、さらには３辺に形成してもよい。
【００３５】
また、図７に示すように、４つの側壁板２２のうち２枚が円弧状に形成されている場合であっても、互いに対向する平板状の側壁板２２に嵌込溝２５を形成すればよいし、場合によっては必要であれば側壁板２２に嵌込溝２５を形成してもよい。さらに、側壁板２２が、図８に示すような円形に形成されている場合であっても、蓋体３を保持しうる対向位置に嵌込溝２５を形成すればよい。
【００３６】
なお、必要であれば、全ての側壁板２２あるいは側壁板２２の全周に嵌込溝２５を形成するようにしてもよい。これにより、嵌込溝２５の有無を考慮せずに嵌込溝２５を設けた板材を適宜、所定の幅形状の側壁板２２に裁断したり、あるいは円形に変形するだけで全ての側壁板２２が製作される。このため、製作工程が一元化でき、製作コストを低減することができる。
【００３７】
また、上述した本実施形態では、嵌込溝２５を側壁板２２の上端部に沿って設けているが、この構成に限られるものではなく、図９および図１０に示すように、側壁板２２の上端面から所定の長さだけ間隔を隔てて形成するようにしてもよい。これにより、嵌込溝２５の角部の角度が鈍角になるため、嵌込溝２５を形成する際にバリが生じるのを防止したり、蓋体３を着脱する際に破損するのを抑制することができる。また、嵌込溝２５の形状はテーパ面を備えた鋭角状に限らず、湾曲面を備えた円弧状に形成すれば、より一層バリの発生を低減することができる。この場合、蓋体３の嵌め込み用の端部も円弧状に形成すればよい。
【００３８】
さらに、上述した本実施形態では、容器本体２の上面側の開口部２１にのみ、蓋体３と嵌込溝２５との嵌込構造を適用しているがこの構成に限られるものではなく、上面側および底面側の双方に嵌込溝２５を形成し、双方の開口部２１に蓋体３を嵌め込むようにしてもよい。
【図面の簡単な説明】
【００３９】
【図１】本考案に係る収納容器の実施形態を示す全体斜視図である。
【図２】本実施形態の収納容器を示す平面図である。
【図３】図２における３Ａ−３Ａ線断面図である。
【図４】本実施形態において、容器本体に蓋体を嵌め込む方法を示す説明図である。
【図５】本実施形態において、容器本体および蓋体が五角形の場合を示す平面図である。
【図６】本実施形態において、容器本体および蓋体が六角形の場合を示す平面図である。
【図７】本実施形態において、容器本体および蓋体の２辺が円弧状の場合を示す平面図である。
【図８】本実施形態において、容器本体および蓋体が円形の場合を示す平面図である。
【図９】本実施形態において、嵌込溝の他の実施例を示す平面図である。
【図１０】図９における１０Ａ−１０Ａ線断面図である。
【符号の説明】
【００４０】
１  収納容器
２  容器本体
３  蓋体
２１  開口部
２２  側壁板
２３  底板
２４  凸状段差部
２５  嵌込溝
２６  溝側テーパ面
２７  開放用凹部
３１  蓋側テーパ面
【図１】
0003140810.tif 000003
【図２】
0003140810.tif 000004
【図３】
0003140810.tif 000005
【図４】
0003140810.tif 000006
【図５】
0003140810.tif 000007
【図６】
0003140810.tif 000008
【図７】
0003140810.tif 000009
【図８】
0003140810.tif 000010
【図９】
0003140810.tif 000011
【図１０】
0003140810.tif 000012